(57)【要約】      （修正有）【課題】収納量に対して被収納品の内容量を大きめにすることがないだけでなく、被収納品が緊密に収納されている場合であっても被収納品の取り出しを容易にし得る段ボール箱を提供する。【解決手段】段ボール箱１は、左右一対の端壁３と、前後一対の側壁２とを交互に並ぶように有している他、上部開口を開閉する上開閉面及び、下部開口を開閉する下開閉面Ｂを有している。上開閉面Ｕは、一対の端壁３の上縁から延出された左右一対の上内フラップ５および一対の側壁２の上縁から延出された前後一対の上外フラップ４からなる。側壁２と上外フラップ４との間の接合部分である罫線９を含みつつ、この罫線９に対する直交方向に沿って相互に平行に、一対の切込部１１が側壁２から上外フラップ４に亘って、形成される。【選択図】図３
0003171357.tif 000002
【実用新案登録請求の範囲】
【請求項１】
収納される被収納品の周囲を囲む周囲壁と、
周囲壁の一端部から延出してこの被収納品の下部を覆う底面と、
周囲壁の他端部から延出してこの被収納品の上部を覆う開閉可能な開閉壁と、
を有する段ボール箱であって、
周囲壁と開閉壁との間の接合部分が含まれつつ周囲壁から開閉壁に亘って、この接合部分に対する交差方向に沿って切り欠くような一対の切込部が形成される段ボール箱。
【請求項２】
周囲壁が４面あると共に各周囲壁の他端部からそれぞれ延出して開閉壁が４面あって、直方体状に形成される段ボール箱であり、
相互に対向する２面の周囲壁及び２面の開閉壁に、各一対の切込部が形成される請求項１記載の段ボール箱。
【請求項３】
一対の切込部が、接合部分に対してそれぞれ直交方向に沿い、かつ、周囲壁から開閉壁に亘って同一の長さで形成される請求項１又は２記載の段ボール箱。
【請求項４】
一対の切込部が、一対のスリットとされる請求項１〜３のいずれか１項に記載の段ボール箱。
【請求項５】
一対の切込部が、一対のミシン目とされる請求項１〜３のいずれか１項に記載の段ボール箱。
【考案の詳細な説明】
【技術分野】
【０００１】
本考案は、収納量に対して被収納品の内容量を大きめにすることがないだけでなく、被収納品が緊密に収納されている場合であっても被収納品の取り出しを容易にし得る段ボール箱に関するものである。
【背景技術】
【０００２】
一般的な外装箱である段ボール箱は、左右一対の端壁及び前後一対の側壁とからなる四角筒状の非開閉面や、下開閉面を有するだけでなく、各端壁の上縁を基端として延出された上内フラップ、及び各側壁の上縁を基端として延出された上外フラップからなって、上内フラップの外側に上外フラップが重ねられた状態で封緘されるように構成された上開閉面をも有している。
【０００３】
この外装箱である段ボール箱の内容量と紙器箱、ＣＤ、ＤＶＤ、書類などの製品である被収納品の容積とされる収納量とがほぼ同じであって、これらの製品が緊密に段ボール箱内に収納されている場合、従来の段ボール箱では製品をこの段ボール箱内から取り出すことが困難となっていた。このような内容量と収納量とがほぼ同じである場合において段ボール箱内から製品を取り出そうとする際には、上外フラップ及び上内フラップを外側に開放した後、段ボール箱内から製品を手で無理に引き出そうとしたり、あるいは段ボール箱を転倒させて製品を天地逆の状態で取り出したりする必要があった。
【０００４】
これに対して、段ボール箱内から被収納品を取り出し易くしたものとして、周回状に巻回された長尺状の被収納品である通水管をその周回方向に回動可能に収容することで、簡易かつ容易に引出し可能にする段ボール箱体が例えば下記特許文献１に開示されている。
【先行技術文献】
【特許文献】
【０００５】
【特許文献１】特開２００７−３２６７１９号公報
【考案の概要】
【考案が解決しようとする課題】
【０００６】
しかし、この特許文献１によれば、被収納物の取り出し性が向上するものの、段ボール箱の内容量に対して被収納物の容積がほぼ同じ場合に関しての技術については、何らの開示もされていない。これに対して、段ボール箱の内容量に対して被収納品の容積がほぼ同じ場合には被収納品を取り出し難くなるため、段ボール箱を大きめに設計することが考えられるが、このように段ボール箱を大きめにした場合、段ボール箱のコストアップ、輸送時の積載効率悪化および輸送コストアップとなってしまう欠点を有していた。
そこで、本考案の主たる課題は、収納量に対して被収納品の内容量を大きめにすることがないだけでなく、被収納品が緊密に収納されている場合であっても被収納品の取り出しを容易にし得る段ボール箱を提供することにある。
【課題を解決するための手段】
【０００７】
＜請求項１記載の考案＞
収納される被収納品の周囲を囲む周囲壁と、
周囲壁の一端部から延出してこの被収納品の下部を覆う底面と、
周囲壁の他端部から延出してこの被収納品の上部を覆う開閉可能な開閉壁と、
を有する段ボール箱であって、
周囲壁から開閉壁に亘って、周囲壁と開閉壁との間の接合部分に対する交差方向に沿って切り欠くような一対の切込部が形成される段ボール箱。
【０００８】
（作用効果）
本項記載のように構成されることで、外装箱である段ボール箱内に被収納品が緊密に収納されている状態で段ボール箱内から被収納品を取り出そうとする場合、開閉壁を外側に開放して周囲壁に重ねるように折り曲げた後、一対の切込部間の周囲壁及び開閉壁を取り除くことにする。このことで、取り除かれた後の一対の切込部間の取出空間から手や指等を段ボール箱内に入れて被収納品を容易に取り出すことができる。
【０００９】
したがって、段ボール箱内から被収納品を手で無理に引き出そうとしたり、段ボール箱を転倒させて被収納品を天地逆の状態で取り出したりする必要がなくなり、容易に被収納品を段ボール箱内から取り出すことが出来るようになる。これに伴い、取り出し時に被収納品に生じるキズや破れなどから生じる品質クレームが防止され、綺麗な状態で被収納品を取り出すこともできる。
【００１０】
さらに、一対の切込部を周囲壁から開閉壁に亘って設けただけの構成としたことで、段ボール箱の製造の際には、一つの抜型を追加するだけで一対の切込部を形成するための加工が可能となる。この結果、製造コストを余り増やすことなく、段ボール箱を大きめにするような寸法変更による段ボール箱のコストアップ、輸送時の積載効率悪化および輸送時のコストアップ等が生じないようになる。他方、一対の切込部の加工に際しては、これら一対の切込部を加工するための一つの抜型を製造ラインに着脱可能に設置するだけで、紙器箱、ＣＤ、ＤＶＤ、書類など多種の被収納品を収納するような寸法の異なる全ての段ボール箱にも兼用可能となって、汎用性が高くなる。また、イニシャルコストも抜型製造時の初回分しか発生しないため、多数の抜型が必要となって段ボール箱の製造における製造コストが増大することもない。
【００１１】
＜請求項２記載の考案＞
周囲壁が４面あると共に各周囲壁の他端部からそれぞれ延出して開閉壁が４面あって、直方体状に形成される段ボール箱であり、
相互に対向する２面の周囲壁及び２面の開閉壁に、各一対の切込部が形成される請求項１記載の段ボール箱。
【００１２】
（作用効果）
本項記載のように構成されることで、開閉壁の開放時において相互に対向する部分に各一対の切込部が配置されることになり、これら各一対の切込部間をそれぞれ取り除くことで、２つの周囲壁及び２つの開閉壁に部分的に取出空間が形成されて、この取出空間から人の両手およびこれらの手の指を入れて被収納品を挟みつつ段ボール箱から取り出せるようになる。このため、より一層取り出しが容易になる。
【００１３】
＜請求項３記載の考案＞
一対の切込部が、接合部分に対してそれぞれ直交方向に沿い、かつ、周囲壁から開閉壁に亘って同一の長さで形成される請求項１又は２記載の段ボール箱。
【００１４】
（作用効果）
本項記載のように構成されることで、一対の切込部が、接合部分に対して直交方向に沿って相互に平行に延びていることから、周囲壁及び開閉壁の一対の切込部間の部分を一体的に取り除くことが可能となる。
【００１５】
＜請求項４記載の考案＞
一対の切込部が、一対のスリットとされる請求項１〜３のいずれか１項に記載の段ボール箱。
【００１６】
（作用効果）
一対の切込部が各スリットとされることで、上記と同様に小さな力でも容易にこの部分を切り取ることができるようになる。
【００１７】
＜請求項５記載の考案＞
一対の切込部が、一対のミシン目とされる請求項１〜３のいずれか１項に記載の段ボール箱。
【００１８】
（作用効果）
一対の切込部が各ミシン目とされることで、同様に小さな力でも容易にこの部分を切り取ることができるようになる。
【考案の効果】
【００１９】
以上の通り本考案によれば、収納量に対して被収納品の内容量を大きめにすることがないだけでなく、被収納品が緊密に収納されている場合であっても被収納品の取り出しを容易にし得る段ボール箱を提供することができる。
【図面の簡単な説明】
【００２０】
【図１】本考案の一実施形態に係る段ボール箱の展開図である。
【図２】一実施形態に係る段ボール箱の封緘状態を示す斜視図である。
【図３】紙器箱の取り出し作業途中を示す斜視図であって、上内フラップ及び上外フラップの開放状態を示す図である。
【図４】紙器箱の取り出し作業途中を示す斜視図であって、上内フラップ及び上外フラップを端壁及び側壁と平行になるまで折り曲げた状態を示す図である。
【図５】紙器箱の取り出し作業途中を示す斜視図であって、一対の切込部に挟まれた引倒部を引き下ろした状態を示す図である。
【図６】紙器箱の取り出し作業途中を示す斜視図であって、紙器箱を一つ取り出した状態を示す図である。
【考案を実施するための形態】
【００２１】
以下、本考案に係る段ボール箱の一実施形態について図面を参照しつつ詳細に説明する。
図１〜６は、本考案に係る段ボール箱の実施形態を示している。この段ボール箱１は、封緘状態で直方体状をなす溝切り形の段ボール箱に属するものであり、均一な厚さの一枚の紙製段ボールを用いて形成できるものである。図１中の点線は折目をそれぞれ示しており、これらの折目には折り曲げを容易にする罫線加工を施すのが好ましい。
【００２２】
構造について更に詳細に説明すると、外装箱である段ボール箱１は、左右一対の端壁３と、前後一対の側壁２とを交互に並ぶように有している他、図１において左側の側壁２の左端部には、糊代片８が突出して形成されていて、側壁２の左側部と右側の端壁３の右側部とをこの糊代片８で連結するようになっている。この糊代片８によって、一方の側壁２と他方の端壁３とを連結することで、四角筒状の非開閉面が形成される。これに伴い、本実施形態では、収納される製品の周囲を囲む４面の周囲壁がこれら一対の側壁２及び一対の端壁３により構成される。但し、本実施形態では、側壁２の長さは端壁３の長さに対して長く形成されている。
【００２３】
図２に示すように、段ボール箱１は、この非開閉面の上部開口を開閉する上開閉面Ｕ及び、下部開口を開閉する下開閉面Ｂを有していて、これら上開閉面Ｕ及び下開閉面Ｂは、一般的なＡ式ダンボール箱と同様に構成されている。下開閉面Ｂは、図１に示すように、一対の端壁３の一端部である下縁から延出された左右一対の下内フラップ７、および各側壁２の下縁から延出された前後一対の下外フラップ６からなり、両下内フラップ７の外側に両下外フラップ６が重ねられた状態で封緘されるように構成されている。
【００２４】
また、下開閉面Ｂの一対の下外フラップ６は矩形をなしており、側壁２の長さ寸法Ｌ０にほぼ等しい長さを有すると共に、側壁２からの延出長さＬ２は端壁３の長さ寸法Ｌ１の半分に等しく、封緘状態で互いの下外フラップ６の先端縁の全体が突き合わさるように構成されている。下開閉面Ｂの一対の下内フラップ７は矩形状をなしており、端壁３の長さ寸法Ｌ１にほぼ等しい長さを有すると共に、下外フラップ６と同じ延出長さＬ２だけ端壁３から延出している。このため、下開閉面Ｂにおける一対の下内フラップ７は、互いの先端縁の全体が封緘状態において左右方向に離間する。
以上より、下開閉面Ｂである底面を形成する一対の下外フラップ６及び一対の下内フラップ７により製品である紙器箱２０の下部が覆われるようになる。
【００２５】
一方、上開閉面Ｕは、図１に示すように、一対の端壁３の他端部である上縁から延出された左右一対の上内フラップ５および一対の側壁２の他端部である上縁から延出された前後一対の上外フラップ４からなり、両上内フラップ５の外側に両上外フラップ４が重ねられた状態で封緘されて製品である紙器箱２０の上部を覆うように構成されている。
【００２６】
上開閉面Ｕの一対の上外フラップ４は矩形をなしており、側壁２の長さ寸法Ｌ０にほぼ等しい長さを有すると共に、側壁２からの延出長さＬ２は端壁３の長さ寸法Ｌ１の半分に等しく、封緘状態で互いの上外フラップ４の先端縁の全体が突き合わさるように構成されている。上開閉面Ｕの一対の上内フラップ５は矩形状をなしており、端壁３の長さ寸法Ｌ１にほぼ等しい長さを有すると共に、上外フラップ４と同じ延出長さＬ２だけ端壁３から延出している。このため、上開閉面Ｕにおける一対の上内フラップ５は、互いの先端縁の全体が封緘状態において左右方向に離間する。
以上より、一対の上内フラップ５及び一対の上外フラップ４が、開閉可能な４面の開閉壁を構成することになる。
【００２７】
他方、側壁２と上外フラップ４との間の接合部分である罫線９を含みつつ、この罫線９に対する直交方向に沿って相互に平行に、一対の切込部１１が側壁２から上外フラップ４に亘って、形成されている。これら一対の切込部１１間の部分が取り除き容易になるように、図示しない抜型により加工された相互に同一の長さのスリットによりこれら一対の切込部１１は形成されている。そして、一対の切込部１１の両端部間を繋ぐ形で、それぞれ折り曲げを容易にするための罫線加工が施された連結部１３が罫線９と平行に設けられている。
【００２８】
そして、一対の切込部１１は一対の側壁２及び一対の上外フラップ４にそれぞれ形成されることで合計二対存在することになり、これら各一対の切込部１１は段ボール箱１が組み立てられた場合において、相互に対向する２つの側壁２及び相互に対向する２つの上外フラップ４の対向した箇所にそれぞれ位置している。
【００２９】
次に、本実施形態に係る段ボール箱１から製品を取り出す際の手順について説明する。
図１に示すように、予め二対の切込部１１が設けられた段ボール箱１を打抜く、この際、抜型でスリットを形成することにより、各一対の切込部１１を形成する。また、糊代片８の部分で側壁２とこれと反対側に位置した端壁３とを連結し、さらに下内フラップ７及び下外フラップ６をそれぞれ折り曲げて糊止め等して、下開閉面Ｂを形成する。この状態で、段ボール箱１内に製品である紙器箱２０を３個並んで２段に収納した後、上内フラップ５及び上外フラップ４を同様に折り曲げ糊止め等して、上開閉面Ｕを形成することで、図２に示す状態とする。
【００３０】
この形態で必要な場所まで搬送したり倉庫等で保管したりする。他方、紙器箱２０を段ボール箱１内から取り出す際には、上内フラップ５及び上外フラップ４を図３に示すように矢印Ａのように開放し、さらに図４に示すように上内フラップ５を端壁３と平行になるまで折り曲げると共に、上外フラップ４を側壁２と平行になるまで折り曲げる。
【００３１】
この状態で、手前側の側壁２から手前側の上外フラップ４に亘って形成されている一対の切込部１１間の部分を取り除くために、人の手で図５の段ボール箱１の外側に向かってこれら一対の切込部１１に挟まれた引倒部１２を矢印Ａのように引き下ろす。同じく奥側の側壁２から奥側の上外フラップ４に亘って形成されている一対の切込部１１間の部分を取り除くために、人の手で図５の段ボール箱１の外側に向かってこれら一対の切込部１１に挟まれた引倒部１２を矢印Ａのように引き下ろす。
【００３２】
この結果として各部分が開放されて段ボール箱１の開放された取出空間Ｋが形成され、この空間に手あるいは指を入れることで、図６に示すように紙器箱２０を矢印Ａのように１つ取り出すことができる。これに伴い１つの紙器箱２０が無くなった分だけ、段ボール箱１内に空間が生じることから、残りの紙器箱２０も容易に取り出すことが可能となる。
【００３３】
次に、本実施形態に係る段ボール箱１の作用について説明する。
本実施形態によれば、周囲壁が４面あると共に各周囲壁の上端部からそれぞれ延出して開閉壁が４面あって直方体状に形成される段ボール箱１の相互に対向する２面の周囲壁である側壁２及び相互に対向する２面の開閉壁である上外フラップ４に、各一対の切込部１１が形成された構造とされている。この外装箱である段ボール箱１内に紙器箱２０とされる被収納品が本実施形態では緊密に収納されているが、この状態において、段ボール箱１内から紙器箱２０を取り出そうとする際には、上外フラップ４を外側に開放して側壁２に重ねるように折り曲げた後、相互に対向する部分に配置された各一対の切込部１１に沿って側壁２及び上外フラップ４の引倒部１２を取り除くことにする。
【００３４】
このことで、側壁２から上外フラップ４に亘って部分的に取り除かれた各一対の切込部１１間の引倒部１２に計２つの取出空間Ｋが形成されて、２つの取出空間Ｋから段ボール箱１内に入れた人の両手や指で１つの紙器箱２０を挟みつつ段ボール箱１から紙器箱２０を容易に取り出せるようになる。
【００３５】
したがって、段ボール箱１内から紙器箱２０を手で無理に引き出そうとしたり、段ボール箱１を転倒させて紙器箱２０を天地逆の状態で取り出したりする必要がなくなり、容易に紙器箱２０を段ボール箱１内から取り出すことが出来るようになる。これに伴い、取り出し時に紙器箱２０に生じるキズや破れなどから生じる品質クレームが防止可能され、綺麗な状態で取り出すこともできる。
【００３６】
さらに、各一対の切込部１１を側壁２から上外フラップ４に亘って設けただけの構成としたことにより、段ボール箱１の製造の際には、各一対の切込部１１を形成するための一つの抜型を追加するだけでも加工可能となる。この結果として、製造コストを余り増やすことなく、段ボール箱１を大きめにするような寸法変更による段ボール箱１のコストアップ、輸送時の積載効率悪化および輸送時のコストアップ等が生じないようになる。
【００３７】
他方、各一対の切込部１１の加工に際しては、各一対の切込部１１を加工するための一つの抜型を製造ラインに着脱可能に設置するだけで、紙器箱２０だけでなく、ＣＤ、ＤＶＤ、書類など多種の被収納品を収納する寸法の異なる全ての段ボール箱にも兼用可能となって汎用性が高くなる。また、イニシャルコストも抜型製造時の初回分しか発生しないため、多数の抜型が必要となって製造コストが増大することもない。
【００３８】
またこの際、本実施形態では、一対の切込部１１が、接合部分に対してそれぞれ直交方向に沿い、かつ、側壁２及び上外フラップ４に同一の長さで隣り合って形成されて相互に平行に延びていることから、側壁２及び上外フラップ４の一対の切込部１１間の部分を一体的に取り除くことが可能ともなる。
【００３９】
なお、上記実施形態では、各一対の切込部１１を取り除き容易になるように、それぞれ抜型により形成されたスリットとしたが、各一対の切込部を一対のミシン目としても良い。この際、上記実施形態では、罫線加工が施された連結部１３を含めてミシン目としても良い。また、上記実施形態では、被収納品を複数収納する形態を用いて説明したが、被収納品は一つであっても良い。
一方、上記実施形態では、側壁２と上外フラップ４との間の接合部分に対する直交方向に沿って、一対の切込部１１が側壁２から上外フラップ４に亘って形成されているが、単に、接合部分に対して交差する方向に沿って一対の切込部１１を形成しても良い。
【００４０】
また、上記実施形態に係る段ボール箱１に用いられる段ボール（段ボールシート）としては、波形状に成形した中しん原紙を１枚のライナに貼り合わせた片面段ボール、片面段ボールの段頂にライナを貼り合わせた両面段ボール、両面段ボールの片側に、片面段ボールの段頂を貼り合わせた複両面段ボール、又は複両面段ボールの片側に片面段ボールの段頂を貼り合わせた複々両面段ボールを特に限定無く用いることができる。
【００４１】
他方、上記実施形態における前・後・上・下・左・右とは、封緘状態において一方の上外フラップが延出される一方の側壁を前（正面）とした方向を意味し、説明の便宜上定めたものであり、使用される際の方向を意味するものではない。
【産業上の利用可能性】
【００４２】
本考案は、段ボール箱に適用できるものである。
【符号の説明】
【００４３】
１    段ボール箱
２    側壁（周囲壁）
３    端壁（周囲壁）
４    上外フラップ（開閉壁）
５    上内フラップ（開閉壁）
６    下外フラップ（底面）
７    下内フラップ（底面）
８    糊代片
９    罫線（接合部分）
１１    切込部
１２    引倒部
２０    紙器箱（被収納品）
【図１】
0003171357.tif 000003
【図２】
0003171357.tif 000004
【図３】
0003171357.tif 000005
【図４】
0003171357.tif 000006
【図５】
0003171357.tif 000007
【図６】
0003171357.tif 000008